(57)【要約】【課題】清掃時間のより一層の短縮を図ることが可能なスチーム式電気掃除機を得ること。【解決手段】掃除機本体と吸込風路体とを備え、吸込風路体は延長管と可撓性のホースと手元操作部とで構成され、吸込風路体に接続された吸込具１３０の吸込具本体１０は、吸込具本体１０の前側に位置する吸込口２０と、スチーム噴出部４０と、吸込具本体１０の後側に位置し、吸込具本体１０の底面から吸込具本体１０の底面と相対する被清掃面に向かう付勢力を発生させ、この付勢力により拭取部材３１を被清掃面に押し付けて被清掃面の拭取りを行う拭取部３０とを備える。【選択図】図３
2016086981.tif 000002
【特許請求の範囲】
【請求項１】
吸込具の吸込具本体の底面に開口する吸込口と、
前記吸込具本体の底面からスチームを噴出するスチーム噴出部と、
前記吸込具本体の底面から前記吸込具本体の底面と相対する被清掃面に向かう付勢力を発生させ、前記付勢力により拭取部材を前記被清掃面に押し付けて前記被清掃面の拭取りを行う拭取部と、
を備えたスチーム式電気掃除機。
【請求項２】
前記吸込具本体は、前記吸込口と、前記スチーム噴出部と、前記拭取部とが分離可能に構成されている請求項１に記載のスチーム式電気掃除機。
【請求項３】
前記吸込具本体は、前記スチーム噴出部へ給水する外付の給水容器の取り付けが可能に構成されている請求項１または請求項２に記載のスチーム式電気掃除機。
【請求項４】
前記拭取部は、前記スチーム噴出部よりも前側に位置する前側拭取部と、前記スチーム噴出部よりも後側に位置する後側拭取部とに区分され、
前記前側拭取部は、前記吸込具本体が後進していることを検知したとき、前記後側拭取部が後側拭取部材を被清掃面へ押圧する力よりも大きな押圧力で前側拭取部材を被清掃面側へ押し付け、
前記後側拭取部は、前記吸込具本体が前進していることを検知したとき、前記前側拭取部が前側拭取部材を被清掃面へ押圧する力よりも大きな押圧力で後側拭取部材を被清掃面側へ押し付ける請求項１から請求項３の何れか１項に記載のスチーム式電気掃除機。
【請求項５】
前記スチーム噴出部は、前記スチーム噴出部よりも前側に位置する前側スチーム噴出部と、前記スチーム噴出部よりも後側に位置する後側スチーム噴出部とに区分されている請求項１から請求項４の何れか１項に記載のスチーム式電気掃除機。
【請求項６】
前記拭取部は前記スチーム式電気掃除機の本体からの電源の供給を受けて拭取部材を駆動する請求項１から請求項５の何れか１項に記載のスチーム式電気掃除機。
【請求項７】
前記吸込具本体は、前記吸込具本体の前進側と後進側が逆転する構造である請求項１から請求項６の何れか１項に記載のスチーム式電気掃除機。
【発明の詳細な説明】
【技術分野】
【０００１】
本発明は、吸込具本体に吸込口、スチーム噴出部、および拭取部を備えたスチーム式電気掃除機に関する。
【背景技術】
【０００２】
特許文献１に示す従来の吸込具本体は、吸込具本体底面に設けられた吸気口と、吸込具本体底面に設けられた塵埃捕集性を有する拭き部材とを備え、操作レバーを手動操作することにより、拭き部材を吸込具本体底面から下方に押し下げる構成である。
【０００３】
特許文献２に示す従来の掃除機用吸込み口体は、吸込み口本体の下面に開放する吸込み口と、吸込み口本体に取付けられ吸込み口本体の前進及び後退を検知する検知手段と、検知手段が吸込み口本体の前進と後退との内の一方の移動を検知したときスチームを流出させ他方の移動を検知したときスチーム流出を停止させるスチーム流制御部と、吸込み口本体に設けられスチームを噴出するスチーム噴出部と、吸込み口本体の下面に取付けられた拭き部材とを有する。
【先行技術文献】
【特許文献】
【０００４】
【特許文献１】特開平１０−９９２４３号公報
【特許文献２】特開２００６−２５５１４８号公報
【発明の概要】
【発明が解決しようとする課題】
【０００５】
しかしながら、特許文献１，２の従来技術では、拭き部材を被清掃面に押し付けながらの拭取り清掃が不十分となり、スチーム清掃時の水分または被清掃面に付着した汚れの拭残しが生じて、別の拭取り器具が必要となる場合がある。従って、特許文献１，２では、清掃時間のより一層の短縮を図るというニーズに対応することができないという課題があった。
【０００６】
本発明は、上記に鑑みてなされたものであって、清掃時間のより一層の短縮を図ることが可能なスチーム式電気掃除機を得ることを目的とする。
【課題を解決するための手段】
【０００７】
上述した課題を解決し、目的を達成するために、本発明に係るスチーム式電気掃除機は、吸込具の吸込具本体の底面に開口する吸込口と、前記吸込具本体の底面からスチームを噴出するスチーム噴出部と、前記吸込具本体の底面から前記吸込具本体の底面と相対する被清掃面に向かう付勢力を発生させ、前記付勢力により拭取部材を前記被清掃面に押し付けて前記被清掃面の拭取りを行う拭取部と、を備える。
【発明の効果】
【０００８】
本発明によれば、清掃時間のより一層の短縮を図ることができるという効果を奏する。
【図面の簡単な説明】
【０００９】
【図１】本発明の実施の形態１に係る吸込具を備えたスチーム式電気掃除機の斜視図
【図２】実施の形態１に係る吸込具の下面図
【図３】実施の形態１に係る吸込具のＡ−Ａ矢視断面図
【図４】実施の形態１に係る吸込具の拭取部による拭取清掃を行うときの状態を示す図
【図５】実施の形態２に係る吸込具の下面図
【図６】実施の形態２に係る吸込具のＡ−Ａ矢視断面図
【図７】実施の形態２に係る吸込具の後側拭取部による拭取清掃を行うときの状態を示す図
【図８】実施の形態２に係る吸込具の前側拭取部による拭取清掃を行うときの状態を示す図
【図９】実施の形態３に係る吸込具の下面図
【図１０】実施の形態３に係る吸込具のＡ−Ａ矢視断面図
【図１１】実施の形態３に係る吸込具の後側拭取部による拭取清掃を行うときの状態を示す図
【図１２】実施の形態３に係る吸込具の前側拭取部による拭取清掃を行うときの状態を示す図
【発明を実施するための形態】
【００１０】
以下に、本発明の実施の形態に係るスチーム式電気掃除機を図面に基づいて詳細に説明する。なお、この実施の形態によりこの発明が限定されるものではない。
【００１１】
実施の形態１．
図１は本発明の実施の形態１に係る吸込具１３０を備えたスチーム式電気掃除機１００の斜視図である。スチーム式電気掃除機１００は、掃除機本体１１０と吸込風路体１２０とを備え、掃除機本体１１０には、図示しない集塵室に吸込み負圧を作用させる電動機１１２が内蔵されている。吸込風路体１２０は延長管１２１と可撓性のホース１２２と手元操作部１２３とで構成され、ホース１２２の一端部は掃除機本体１１０の接続口１１１に着脱可能に接続され、ホース１２２の他端は手元操作部１２３に接続される。
【００１２】
手元操作部１２３には、延長管１２１が着脱自在に接続され、この接続によりホース１２２と延長管１２１が連通する。手元操作部１２３のハンドル部１２３ａには操作パネル１２３ｂが設けられ、操作パネル１２３ｂは、スチーム式電気掃除機１００の運転を制御する各種の運転スイッチを有する。運転スイッチの種類としては、被清掃面の塵埃を吸込する吸込清掃を開始または停止させるスイッチと、被清掃面のスチーム清掃を開始または停止させるスイッチと、被清掃面の拭取清掃を開始または停止させるスイッチとがある。なお、運転スイッチの種類はこれらに限定されず、吸込清掃、スチーム清掃、および拭取清掃の何れか２つを開始または停止させるスイッチでもよいし、吸込清掃、スチーム清掃、および拭取清掃の全てを開始または停止させるスイッチでもよい。また吸引量の強弱とスチーム噴出量の強弱を個々に切り替えるスイッチを組み合わせてもよい。
【００１３】
延長管１２１の先端には吸込具１３０が接続され、図示例では吸込具１３０の上部に給水口４５が設けられている。以下、吸込具１３０の構成を詳細に説明する。
【００１４】
図２は実施の形態１に係る吸込具１３０の下面図である。図２に示す「前側」は吸込具本体１０の進行方向前側を表し「後側」は吸込具本体１０の進行方向後側を表す。図２には、吸込具１３０の下面側、すなわち吸込具本体１０の被清掃面と相対する底面の構造が示されている。
【００１５】
吸込具１３０は、吸込具本体１０と、図１の延長管１２１に接続され吸込具本体１０を延長管１２１に連通させる接続管５０とを有する。図２では、吸込具本体１０に接続管５０が固定された状態となっているが、吸込具本体１０は、吸込具本体１０の前進側と後進側が逆転する構造を有する。
【００１６】
吸込具本体１０の下部ケース１１には、吸込具本体１０の前側に位置する吸込口２０と、吸込具本体１０の後側に位置する塵埃捕集性を有する拭取部材３１と、吸込口２０と拭取部材３１との間に位置する複数のスチーム噴出口４１とが形成されている。吸込具本体１０の内部には、拭取部材３１を駆動する駆動部３２と、後述するタンクから供給される水をヒータで加熱してスチームを発生するスチーム発生部４２とが設けられている。
【００１７】
拭取部材３１は、駆動部３２から取り外しが可能であり、洗浄することで再利用可能な吸水性の良い部材が用いられるが、被清掃面の拭取が可能なものであればその材質および構造は限定されるものではない。
【００１８】
駆動部３２は、拭取部材３１による被清掃面の拭取清掃を行うときには、拭取部材３１を下部ケース１１の底面よりも被清掃面側へ押圧移動させ、下部ケース１１から被清掃面に向う付勢力により、拭取部材３１を被清掃面に押し付ける。一方、駆動部３２は、拭取部材３１による被清掃面の拭取清掃を行わないときには、拭取部材３１が被清掃面と触れないように拭取部材３１を被清掃面から下部ケース１１の底面側へ引込移動させて、拭取部材３１を被清掃面から離す。
【００１９】
駆動部３２が拭取部材３１を駆動する機構は、機械式と電気式の何れでもよい。
【００２０】
機械式の場合、押しばね、トーションばね、または板ばねといった、弾性体の復元力を利用したばね機構が考えられる。具体的には、拭取清掃を開始する場合、機械式の駆動部３２は、拭取部材３１を押し付ける前に予め弾性体を蓄勢状態に保持し、図示しない手動操作レバーが操作されたとき、手動操作レバーの操作に対応して、弾性体に蓄勢された復元力を拭取部材３１へ伝達する。これにより、拭取部材３１を下部ケース１１の底面から被清掃面側へ押圧移動させ、拭取部材３１を被清掃面側に押し付ける。拭取清掃を停止する場合、機械式の駆動部３２は、図示しない手動操作レバーが操作されたとき、手動操作レバーの操作に対応して、弾性体の付勢力に抗して、拭取部材３１を下部ケース１１側へ引き戻すと共に、弾性体を蓄勢状態で保持する。
【００２１】
電気式の場合、電気エネルギーを直線運動または回転運動に変換する電動アクチュエータを利用した機構が考えられる。具体的には、拭取清掃を開始する場合、電気式の駆動部３２は、前述した運転スイッチで拭取清掃の開始操作がされたとき、手元操作部１２３からの指令に連動して、電動アクチュエータで発生する付勢力を拭取部材３１へ伝達する。これにより、拭取部材３１を下部ケース１１の底面から被清掃面側へ押圧移動させ、拭取部材３１を被清掃面側に押し付ける。拭取清掃を停止する場合、電気式の駆動部３２は、前述した運転スイッチで拭取清掃の停止操作がされたとき、手元操作部１２３からの指令に対応して、電動アクチュエータで発生する引張力を拭取部材３１へ伝達することにより、拭取部材３１を下部ケース１１側へ引き戻す。電気式の駆動部３２は、図１に示す掃除機本体１１０からの電気の供給を受けて駆動し、機械式の駆動部３２に比べて小型化を図ることができる。
【００２２】
図３は実施の形態１に係る吸込具１３０のＡ−Ａ矢視断面図である。図３には、吸込具１３０を構成する吸込具本体１０および接続管５０が示されている。また図３には、吸込具本体１０を構成する上部ケース１３、下部ケース１１、拭取部３０、スチーム噴出部４０、給水路４４、および給水口４５が示されている。図３では図示を省略しているが、吸込具本体１０には、吸込口２０と連通する吸込室１５に収納され被清掃面の塵埃を取り除く回転ブラシと、回転ブラシの駆動用の電動機とが設けられているものとする。
【００２３】
スチーム噴出部４０はスチーム発生部４２およびタンク４３で構成されている。図示例では、スチーム発生部４２が下部ケース１１の機内側に設置されているが、スチーム発生部４２の設置場所は図示例に限定されず、例えば上部ケース１３の側面に固定してもよい。また図示例では、スチーム発生部４２の上部にタンク４３が設けられているが、タンク４３の位置は図示例に限定されず、例えば拭取部３０の上部に設置してもよいし、上部ケース１３に固定してもよい。
【００２４】
給水路４４の一端はタンク４３に接続され、給水路４４の他端は上部ケース１３が外部に突き出るように配置される。給水路４４はタンク４３へ水を供給するための給水口４５として機能し、吸込口２０と接続管５０との間の風路を阻害しない位置に形成されているものとする。給水口４５には、タンク４３に貯留された水が外部に漏れ出ることを防止するための封止機構が設けられているものとする。
【００２５】
なお、図示例ではスチーム発生部４２への給水手段としてタンク４３が用いられているが、給水手段はタンク４３に限定されるものではない。例えば吸込具本体１０は、飲料用のペットボトルまたはスチール缶といった外付の給水容器を取り付け可能が構成とし、さらに、この給水容器を給水口４５または給水路４４に接続して、スチーム発生部４２へ給水する構成でもよい。
【００２６】
拭取部３０は拭取部材３１および駆動部３２で構成される。図示例では、駆動部３２が下部ケース１１の機内側に設置されているが、駆動部３２の設置場所は図示例に限定されず、例えば上部ケース１３の側面に固定してもよい。拭取部材３１は、駆動部３２の下側に配置され、駆動部３２に設けられた駆動部材３２ａにより、被清掃面側へ押圧移動され、または下部ケース１１の底面側へ引込移動される。
【００２７】
図３には、拭取部材３１による被清掃面の拭取清掃を行わないときの状態、すなわち拭取部材３１が下部ケース１１側へ引込移動され、開口部１６に収納された状態が示されている。この状態で可能な清掃は以下の通りである。（１）吸込清掃のみの実施。（２）スチーム清掃のみの実施。（３）吸込清掃とスチーム清掃の実施。
【００２８】
図４は実施の形態１に係る吸込具１３０の拭取部材３１による拭取清掃を行うときの状態を示す図である。図４では、駆動部３２に設けられた駆動部材３２ａにより、拭取部材３１が被清掃面側へ押圧移動された状態が示されている。この状態で可能な清掃は以下の通りである。（１）拭取清掃のみの実施。（２）吸込清掃と拭取清掃の実施。（３）スチーム清掃と拭取清掃の実施。（４）吸込清掃とスチーム清掃と拭取清掃の実施。
【００２９】
特許文献１の吸込具本体では、操作レバーの手動操作により、吸込具本体底面から下方に押し下げられた拭き部材が、吸込具本体の収納部に配設される基台に係り止めされる。そのため、使用者が吸込具本体を引くときに拭き部材が被清掃面へ押し付けられる圧力が低下し、被清掃面の汚れが十分に拭き取られず、またはスチーム清掃時の水分の拭残しが発生する。
【００３０】
特許文献２の吸込み口体では、拭き部材が吸込み口本体の下面に取付けられている。そのため、引用文献１と同様に、使用者が吸込具本体を引くときに拭き部材が被清掃面へ押し付けられる圧力が低下し、被清掃面の汚れが十分に拭き取られず、またはスチーム清掃時の水分の拭残しが発生する。
【００３１】
実施の形態１の吸込具１３０によれば、下部ケース１１から被清掃面に向う付勢力により、拭取部材３１が被清掃面に押し付けられる。そのため使用者が吸込具１３０を引くときでも、拭取部材３１を被清掃面に押し付けながらの拭取り清掃ができ、特許文献１，２の従来技術に比して被清掃面の汚れを効果的に拭取ることができる。
【００３２】
また実施の形態１の吸込具１３０によれば、使用者が吸込具１３０を押すとき、その押圧力が拭取部材３１に作用し、吸込具１３０が被清掃面に押し付けられ、吸込清掃だけでは取り除けないような被清掃面の汚れを、効果的に取り除くことができるだけでなく、スチーム清掃時の水分の拭残しを防ぐことができる。
【００３３】
また実施の形態１の吸込具１３０によれば、吸込清掃とスチーム清掃と拭取清掃とを実施できるため、これらの清掃を個別に行う清掃器具を用いた場合に比べて、清掃時間を短縮することができ、また個別の清掃器具では取り除けないような被清掃面の汚れを効果的に取り除くことができるため、清掃領域を広げることができる。
【００３４】
また実施の形態１の吸込具１３０では、吸込具本体１０が回動する構造であるため、部屋の床と壁の隅のスチーム清掃と拭取り清掃が可能である。
【００３５】
なお、実施の形態１の吸込口２０、スチーム噴出口４１、および拭取部材３１の並び順は、図２の順番に限定されるものではないが、吸込具本体１０の前側から後側に向けて吸込口２０、スチーム噴出口４１、拭取部材３１の順で配置することで、吸込清掃が行われた被清掃面にスチームが吹き付けられ、その後に拭取清掃の順で行われるため、他の配置順に比べて、被清掃面の汚れを効果的に取り除くことができると共に、拭取りの際に塵埃が被掃除面押し付けられて被清掃面を傷つける虞もない。
【００３６】
また実施の形態１の吸込具１３０は以下のように構成してもよい。吸込具本体１０は、図２に示すローラ１４の回転方向により吸込具本体１０の進行方向を検知する機能を備え、スチーム発生部４２は、ローラ１４で検知された進行方向情報により、吸込具本体１０が前側に移動していることを検知した場合、スチームを噴出し、吸込具本体１０が後側に移動していることを検知した場合、スチームの噴出を停止する。また、駆動部３２は、ローラ１４で検知された進行方向情報により、吸込具本体１０が前側に移動していることを検知した場合、吸込具本体１０が後進時に拭取部材３１を被清掃面へ押圧する力よりも大きな押圧力で拭取部材３１を押し付ける。この構成により、吸込具本体１０の前進時には、被清掃面へ付着したスチームの水分の拭残しが防止され、被清掃面の汚れを効果的に取り除くことができ、さらに拭取りの際に塵埃が被掃除面押し付けられて被清掃面を傷つける虞もない。また吸込具本体１０の後進時には、被清掃面へスチームの水分が付着することが防止される。特にこの構成は、吸込口２０、スチーム噴出口４１、および拭取部材３１が図２の順番に配置されている場合に効果的である。なお、機械式の駆動部３２を採用した場合、吸込具本体１０の進行方向に対応して拭取部材３１の押圧力が変化する機構を備えるものとする。例えば図３，４に示す２つの駆動部材３２ａは前述した弾性体を備えた可動機構とし、吸込具本体１０が前進しているときには、ローラ１４の一方の回転方向に対応して、拭取部材３１を押し付けるアシスト力が可動機構に付与される。吸込具本体１０が後進しているときには、ローラ１４の他方の回転方向に対応して、アシスト力が解除される。なお実施の形態１では吸込具本体１０の進行方向を検知する手段、または拭取部材３１の押圧力を調整する手段としてローラ１４が用いられているが、進行方向を検知する手段と押圧力を調整する手段はローラ１４に限定されるものではない。
【００３７】
また実施の形態１の吸込具１３０は、例えば図３に示す吸込口２０、スチーム噴出部４０、および拭取部３０を各々備えた３つのユニットで構成され、個々のユニットを分離可能な構成としてもよい。ユニットとは、例えば吸込口２０が形成された筐体と、スチーム噴出部４０が搭載されると共にスチームの噴出が可能なスチーム噴出口４１が形成された筐体と、拭取部３０が搭載されると共に拭取部材３１の収納が可能な開口部１６が形成された筐体である。そして吸込口２０を搭載したユニットには接続管５０が接続され、スチーム噴出部４０を搭載したユニットは吸込口２０を搭載したユニットの後部側に接続され、拭取部３０を搭載したユニットはスチーム噴出部４０を搭載したユニットの後部側に接続される。スチーム清掃と拭取清掃が不要な場合には、吸込口２０を搭載したユニットから、スチーム噴出部４０を搭載したユニットと拭取部３０を搭載したユニットとを取り外すことができる。吸込清掃と拭取清掃のみ必要な場合には、吸込口２０を搭載したユニットに拭取部３０を搭載したユニットを取り付けることができる。このように３つのユニットを分離可能に構成することで、清掃の目的に応じて必要なユニットを組み合わせることができるため、吸込具本体１０が小型化および軽量化され、使用者の負担をより軽減することができる。
【００３８】
実施の形態２．
図５は実施の形態２に係る吸込具１３０−１の下面図である。実施の形態２では、実施の形態１の拭取部材３１が吸込口２０とスチーム噴出口４１との間に位置する前側拭取部材３１−１と、スチーム噴出口４１よりも後側に位置する後側拭取部材３１−２とに区分されている。また実施の形態２では、実施の形態１の駆動部３２が前側駆動部３２−１と後側駆動部３２−２に区分されている。
【００３９】
図６は実施の形態２に係る吸込具１３０−１のＡ−Ａ矢視断面図である。実施の形態２では、実施の形態１の拭取部３０が吸込口２０とスチーム噴出口４１との間に位置する前側拭取部３０−１と、スチーム噴出口４１よりも後側に位置する後側拭取部３０−２とに区分されている。前側拭取部３０−１は前側拭取部材３１−１および前側駆動部３２−１で構成され、後側拭取部３０−２は後側拭取部材３１−２および後側駆動部３２−２で構成されている。前側拭取部３０−１と後側拭取部３０−２は個々に動作可能に構成されている。
【００４０】
図６には、前側拭取部材３１−１および後側拭取部材３１−２による被清掃面の拭取清掃を行わないときの状態が示されている。この状態で可能な清掃は以下の通りである。（１）吸込清掃のみの実施。（２）スチーム清掃のみの実施。（３）吸込清掃とスチーム清掃の実施。
【００４１】
図７は実施の形態２に係る吸込具１３０−１の後側拭取部材３１−２による拭取清掃を行うときの状態を示す図である。図７では、後側駆動部３２−２に設けられた駆動部材３２ａにより、後側拭取部材３１−２が被清掃面側へ押圧移動された状態が示されている。この状態で可能な清掃は以下の通りである。（１）拭取清掃のみの実施。（２）吸込清掃と拭取清掃の実施。（３）スチーム清掃と拭取清掃の実施。（４）吸込清掃とスチーム清掃と拭取清掃の実施。
【００４２】
吸込具本体１０が前側へ移動するとき、吸込具本体１０に作用する押圧は吸込具本体１０の前側よりも後側に大きく作用する。図７に示すように後側拭取部材３１−２のみが被清掃面側へ押圧移動されている場合、後側拭取部材３１−２が被清掃面に強く押し付けられ、被清掃面の汚れを効果的に取り除くことができる。
【００４３】
図８は実施の形態２に係る吸込具１３０−１の前側拭取部材３１−１による拭取清掃を行うときの状態を示す図である。図８では、前側駆動部３２−１に設けられた駆動部材３２ａにより、前側拭取部材３１−１が被清掃面側へ押圧移動された状態が示されている。この状態で可能な清掃は以下の通りである。（１）拭取清掃のみの実施。（２）吸込清掃と拭取清掃の実施。（３）スチーム清掃と拭取清掃の実施。（４）吸込清掃とスチーム清掃と拭取清掃の実施。
【００４４】
吸込具本体１０が後側へ移動するとき、吸込具本体１０に作用する押圧は吸込具本体１０の後側よりも前側に大きく作用する。図８に示すように前側拭取部材３１−１のみが被清掃面側へ押圧移動されている場合、前側拭取部材３１−１が被清掃面に強く押し付けられ、被清掃面の汚れを効果的に取り除くことができる。
【００４５】
また実施の形態２の吸込具１３０−１は以下のように構成してもよい。実施の形態２の吸込具本体１０は、ローラ１４の回転方向により吸込具本体１０の進行方向を検知する機能を備え、後側駆動部３２−２は、ローラ１４で検知された進行方向情報により、吸込具本体１０が前側に移動していることを検知した場合、前側駆動部３２−１が前側拭取部材３１−１を被清掃面へ押圧する力よりも大きな押圧力で後側拭取部材３１−２を被清掃面側へ押し付ける。前側駆動部３２−１は、ローラ１４で検知された進行方向情報により、吸込具本体１０が後側に移動していることを検知した場合、後側駆動部３２−２が後側拭取部材３１−２を被清掃面へ押圧する力よりも大きな押圧力で前側拭取部材３１−１を被清掃面側へ押し付ける。この構成により、吸込具本体１０の前進時と後進時において、被清掃面へ付着したスチームの水分の拭残しが防止され、被清掃面の汚れを効果的に取り除くことができ、さらに拭取りの際に塵埃が被掃除面押し付けられて被清掃面を傷つける虞もない。なお、機械式の前側駆動部３２−１および後側駆動部３２−２を採用した場合、吸込具本体１０の進行方向に対応して前側拭取部材３１−１および後側拭取部材３１−２の押圧力が変化する機構を備えるものとする。例えば図７，８に示す２つの駆動部材３２ａは前述した弾性体を備えた可動機構とし、吸込具本体１０が前進しているときには、ローラ１４の一方の回転方向に対応して、後側拭取部材３１−２を押し付けるアシスト力が後側拭取部３０−２の可動機構に付与される。吸込具本体１０が後進しているときには、ローラ１４の他方の回転方向に対応して、前側拭取部材３１−１を押し付けるアシスト力が前側拭取部３０−１の可動機構に付与される。
【００４６】
実施の形態３．
図９は実施の形態３に係る吸込具１３０−２の下面図である。実施の形態３では、実施の形態１の拭取部材３１が前側拭取部材３１−１と後側拭取部材３１−２とに区分され、実施の形態１の駆動部３２が前側駆動部３２−１と後側駆動部３２−２に区分され、実施の形態１のスチーム発生部４２が前側スチーム発生部４２−１と後側スチーム発生部４２−２とに区分され、実施の形態１のスチーム噴出口４１が前側スチーム噴出口４１−１と後側スチーム噴出口４１−２とに区分されている。
【００４７】
具体的には、下部ケース１１の中央に吸込口２０が形成され、前側拭取部材３１−１が吸込口２０の前側に設けられ、前側スチーム噴出口４１−１が前側拭取部材３１−１と吸込口２０との間に設けられ、後側拭取部材３１−２が吸込口２０の後側に設けられ、後側スチーム噴出口４１−２が後側拭取部材３１−２と吸込口２０との間に設けられている。
【００４８】
図１０は実施の形態３に係る吸込具１３０−２のＡ−Ａ矢視断面図である。実施の形態３では、実施の形態１の拭取部３０が吸込口２０の前側に位置する前側拭取部３０−１と、吸込口２０の後側に位置する後側拭取部３０−２とに区分されている。前側拭取部３０−１は前側拭取部材３１−１および前側駆動部３２−１で構成され、後側拭取部３０−２は後側拭取部材３１−２および後側駆動部３２−２で構成されている。前側拭取部３０−１と後側拭取部３０−２は個々に動作可能に構成されている。また実施の形態３では、実施の形態１のスチーム噴出部４０が吸込口２０の前側と前側拭取部３０−１との間に位置する前側スチーム噴出部４０−１と、吸込口２０の後側と後側拭取部３０−２との間に位置する後側スチーム噴出部４０−２とに区分されている。前側スチーム噴出部４０−１と後側スチーム噴出部４０−２は個々に動作可能に構成されている。前側スチーム噴出部４０−１は、前側スチーム発生部４２−１および前側タンク４３−１で構成され、後側スチーム噴出部４０−２は、後側スチーム発生部４２−２および後側タンク４３−２で構成されている。前側タンク４３−１と後側タンク４３−２は給水路４６で連通しており、給水路４６により後側タンク４３−２に補給された水が給水路４６にも供給される。なお、給水路４４は後側タンク４３−２に接続されているが、給水路４４を直接前側タンク４３−１に接続する構成でもよい。
【００４９】
図１０には、前側拭取部材３１−１および後側拭取部材３１−２による被清掃面の拭取清掃を行わないときの状態が示されている。この状態で可能な清掃は以下の通りである。（１）吸込清掃のみの実施。（２）スチーム清掃のみの実施。（３）吸込清掃とスチーム清掃の実施。
【００５０】
図１１は実施の形態３に係る吸込具１３０−２の後側拭取部材３１−２による拭取清掃を行うときの状態を示す図である。図１１では、後側駆動部３２−２に設けられた駆動部材３２ａにより、後側拭取部材３１−２が被清掃面側へ押圧移動された状態が示されている。この状態で可能な清掃は以下の通りである。（１）拭取清掃のみの実施。（２）吸込清掃と拭取清掃の実施。（３）スチーム清掃と拭取清掃の実施。（４）吸込清掃とスチーム清掃と拭取清掃の実施。
【００５１】
吸込具本体１０が前側へ移動するとき、吸込具本体１０に作用する押圧は吸込具本体１０の前側よりも後側に大きく作用する。図１１に示すように後側拭取部材３１−２のみが被清掃面側へ押圧移動されている場合、後側拭取部材３１−２が被清掃面に強く押し付けられ、被清掃面の汚れを効果的に取り除くことができる。
【００５２】
図１２は実施の形態３に係る吸込具１３０−２の前側拭取部材３１−１による拭取清掃を行うときの状態を示す図である。図１２では、前側駆動部３２−１に設けられた駆動部材３２ａにより、前側拭取部材３１−１が被清掃面側へ押圧移動された状態が示されている。この状態で可能な清掃は以下の通りである。（１）拭取清掃のみの実施。（２）吸込清掃と拭取清掃の実施。（３）スチーム清掃と拭取清掃の実施。（４）吸込清掃とスチーム清掃と拭取清掃の実施。
【００５３】
吸込具本体１０が後側へ移動するとき、吸込具本体１０に作用する押圧は吸込具本体１０の後側よりも前側に大きく作用する。図８に示すように前側拭取部材３１−１のみが被清掃面側へ押圧移動されている場合、前側拭取部材３１−１が被清掃面に強く押し付けられ、被清掃面の汚れを効果的に取り除くことができる。
【００５４】
さらに実施の形態３では、吸込口２０の前側に前側拭取部材３１−１と前側スチーム発生部４２−１が設けられているため、吸込具本体１０の前後を入れ替えなくても、すなわち吸込具本体１０を回転させなくても、部屋の床と壁の隅のスチーム清掃と拭取り清掃が可能である。
【００５５】
また実施の形態３の吸込具１３０−２は以下のように構成してもよい。実施の形態３の吸込具本体１０は、ローラ１４の回転方向により吸込具本体１０の進行方向を検知する機能を備え、ローラ１４で検知された進行方向情報により、後側駆動部３２−２は、吸込具本体１０が前側に移動していることを検知した場合、前側駆動部３２−１が前側拭取部材３１−１を被清掃面へ押圧する力よりも大きな押圧力で後側拭取部材３１−２を被清掃面側へ押し付ける。前側駆動部３２−１は、ローラ１４で検知された進行方向情報により、吸込具本体１０が後側に移動していることを検知した場合、後側駆動部３２−２が後側拭取部材３１−２を被清掃面へ押圧する力よりも大きな押圧力で前側拭取部材３１−１を被清掃面側へ押し付ける。この構成により、吸込具本体１０の前進時と後進時において、被清掃面へ付着したスチームの水分の拭残しが防止され、被清掃面の汚れを効果的に取り除くことができ、さらに拭取りの際に塵埃が被掃除面押し付けられて被清掃面を傷つける虞もない。
【００５６】
また実施の形態３の吸込具１３０−２は以下のように構成してもよい。実施の形態３の吸込具本体１０は、壁、柱といった構造物への接近を検知する近接センサを吸込具本体１０の前側に備え、前側スチーム発生部４２−１は、近接センサからの情報により、吸込具本体１０の前側が構造物に接近したことを検知した場合、前側スチーム発生部４２−１からスチームを噴出する。また前側拭取部３０−１は、近接センサからの情報により、吸込具本体１０の前側が構造物に接近したことを検知した場合、後側駆動部３２−２が後側拭取部材３１−２を被清掃面へ押圧する力よりも大きな押圧力で前側拭取部材３１−１を被清掃面側へ押し付ける。この構成により、吸込具本体１０を回動させて吸込具本体１０の前後を入れ替えるという操作をしなくても、部屋の床と壁の隅のスチーム清掃と拭取り清掃が可能である。
【００５７】
以上に説明したように実施の形態１，２，３に係る吸込具１３０，１３０−１，１３０−２は、吸込口と、スチーム噴出部と、吸込具本体の底面から吸込具本体の底面と相対する被清掃面に向かう付勢力を発生させ、この付勢力により拭取部材を被清掃面に押し付けて被清掃面の拭取りを行う拭取部とを備える。この構成により、下部ケース１１から被清掃面に向う付勢力により、拭取部材３１を被清掃面に押し付けられ、被清掃面からの拭取部材３１の浮き上がりが抑制され、拭取部材３１と被清掃面との間の圧力の低下が抑制される。従って被清掃面の汚れを効果的に拭取ることができる。また実施の形態１，２，３に係る吸込具１３０，１３０−１，１３０−２によれば、吸込清掃とスチーム清掃と拭取清掃とを実施できるため、これらの清掃を個別に行う清掃器具を用いた場合に比べて、清掃時間を短縮することができ、また個別の清掃器具では取り除けないような被清掃面の汚れを効果的に取り除くことができるため、清掃領域を広げることができる。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１０  吸込具本体、１１  下部ケース、１３  上部ケース、１４  ローラ、１５  吸込室、１６  開口部、２０  吸込口、３０  拭取部、３０−１  前側拭取部、３０−２  後側拭取部、３１  拭取部材、３１−１  前側拭取部材、３１−２  後側拭取部材、３２  駆動部、３２−１  前側駆動部、３２−２  後側駆動部、３２ａ  駆動部材、４０  スチーム噴出部、４０−１  前側スチーム噴出部、４０−２  後側スチーム噴出部、４１  スチーム噴出口、４１−１  前側スチーム噴出口、４１−２  後側スチーム噴出口、４２  スチーム発生部、４２−１  前側スチーム発生部、４２−２  後側スチーム発生部、４３  タンク、４３−１  前側タンク、４３−２  後側タンク、４４  給水路、４５  給水口、５０  接続管、１００  スチーム式電気掃除機、１１０  掃除機本体、１１１  接続口、１１２  電動機、１２０  吸込風路体、１２１  延長管、１２２  ホース、１２３  手元操作部、１２３ａ  ハンドル部、１２３ｂ  操作パネル、１３０，１３０−１，１３０−２  吸込具。
【図１】
2016086981.tif 000003
【図２】
2016086981.tif 000004
【図３】
2016086981.tif 000005
【図４】
2016086981.tif 000006
【図５】
2016086981.tif 000007
【図６】
2016086981.tif 000008
【図７】
2016086981.tif 000009
【図８】
2016086981.tif 000010
【図９】
2016086981.tif 000011
【図１０】
2016086981.tif 000012
【図１１】
2016086981.tif 000013
【図１２】
2016086981.tif 000014